(57)【要約】      （修正有）【課題】  ハードディスクに録画された番組を完全に消去でき、録画番組のセキュリティを確保できるハードディスクレコーダを提供する。【解決手段】仮削除操作がなされた番組の番組情報が記録されている領域を上書き可能状態とする仮削除処理を実行する番組情報仮削除手段と、完全削除操作がなされた番組の番組情報が記録された領域を初期化する完全削除処理を開始する時間を設定可能な番組情報完全削除手段とを備え、削除開始時間前は、ユーザにより完全削除操作がなされた領域を上書き可能状態とし、削除開始時間となったときに、既に上書きされた領域を除くように当該領域に記録された番組情報をすべて削除するようにした。【選択図】  図４
2005347991.tif 000002
【特許請求の範囲】
【請求項１】
外部から入力されるビデオ信号をデジタル化して番組のタイトル、放送日時、チャンネル等を含む目次情報と番組のコンテンツ情報とからなる番組情報をハードディスクに記録する記録手段と、記録した番組情報をハードディスクから読み出して再生する再生手段と、前記ハードディスクに記録された番組の目次情報をリスト形式で表示する録画番組リスト表示手段と、前記番組情報をユーザの削除操作に基づいて削除する番組情報削除手段を備えたハードディスクレコーダにおいて、
前記番組情報削除手段は、ユーザにより仮削除操作がなされた番組の番組情報が記録されている領域を上書き可能状態とするとともに、前記録画番組リスト表示手段による当該番組の目次情報の表示を非表示とする仮削除処理を実行する番組情報仮削除手段と、ユーザにより完全削除操作がなされた番組の番組情報が記録された領域を初期化する完全削除処理を実行する番組情報完全削除手段と、を備え、
前記番組情報完全削除手段は、完全削除処理を開始する時間を設定可能で、前記記録手段及び再生手段による処理がなされていないときに完全削除処理を実行するように、構成され、削除開始時間前は、ユーザにより完全削除操作がなされた番組の番組情報が記録されている領域を上書き可能状態とするとともに、前記録画番組リスト表示手段による当該番組の目次情報の表示を非表示とし、削除開始時間となったときに、既に上書きされた領域を除くように削除すべき領域を確定した後、当該領域に記録された番組情報をすべて削除し、
さらに、前記番組情報仮削除手段により削除された番組の目次情報を格納する削除番組記憶手段と、前記削除番組記憶手段に格納された番組の目次情報を表示する削除番組リスト表示手段と、を備え、仮削除処理を実行した後に、完全削除処理を実行可能としたことを特徴とするハードディスクレコーダ。
【請求項２】
外部から入力されるビデオ信号をデジタル化して番組のタイトル、放送日時、チャンネル等を含む目次情報と番組のコンテンツ情報とからなる番組情報をハードディスクに記録する記録手段と、記録した番組情報をハードディスクから読み出して再生する再生手段と、前記ハードディスクに記録された番組の目次情報をリスト形式で表示する録画番組リスト表示手段と、前記番組情報をユーザの削除操作に基づいて削除する番組情報削除手段を備えたハードディスクレコーダにおいて、
前記番組情報削除手段は、
ユーザにより仮削除操作がなされた番組の番組情報が記録されている領域を上書き可能状態とするとともに、前記録画番組リスト表示手段による当該番組の目次情報の表示を非表示とする仮削除処理を実行する番組情報仮削除手段と、
ユーザにより完全削除操作がなされた番組の番組情報が記録された領域を初期化する完全削除処理を実行する番組情報完全削除手段と、
を備えることを特徴とするハードディスクレコーダ。
【請求項３】
前記番組情報完全削除手段は、完全削除処理を開始する時間を設定可能に構成され、
削除開始時間前は、ユーザにより完全削除操作がなされた番組の番組情報が記録されている領域を上書き可能状態とするとともに、前記録画番組リスト表示手段による当該番組の目次情報の表示を非表示とし、
削除開始時間となったときに、既に上書きされた領域を除くように削除すべき領域を確定した後、当該領域に記録された番組情報をすべて削除することを特徴とする請求項２に記載のハードディスクレコーダ。
【請求項４】
前記番組情報完全削除手段は、前記記録手段及び再生手段による処理がなされていないときに、完全削除処理を実行することを特徴とする請求項３に記載のハードディスクレコーダ。
【請求項５】
前記番組情報仮削除手段により削除された番組の目次情報を格納する削除番組記憶手段と、
前記削除番組記憶手段に格納された番組の目次情報を表示する削除番組リスト表示手段と、を備え、
仮削除処理を実行した後に、完全削除処理を実行可能としたことを特徴とする請求項２から４に記載のハードディスクレコーダ。
【発明の詳細な説明】
【技術分野】
【０００１】
本発明は、テレビ放送信号を受信してデジタルデータとしてハードディスクに記録するとともに、該ハードディスクからデジタルデータを読み出してテレビ放送信号を再生するハードディスクレコーダに関する。
【背景技術】
【０００２】
テレビ放送信号等を受信して、録画・再生する録画再生装置としては、従来ＶＴＲ（ビデオテープレコーダ）が主流であったが、最近では大容量のハードディスクを比較的安価に製造できるようになったことに伴い、これを内蔵したハードディスクレコーダが実用化されている。ハードディスクレコーダは、テレビ放送信号等の受信信号をデジタル化してハードディスクに記録するとともに、記録した映像信号をハードディスクから読み出して再生する装置である。
【０００３】
ＶＴＲは、アナログ信号をビデオテープに記録するものであるため、画質が劣化したり編集作業が非常にやりにくいという欠点があるが、ハードディスクレコーダは、デジタル信号をハードディスクに記録するため、画質等の劣化がなく編集作業も自由に行えるという利点がある。また、ハードディスクレコーダにおいては、ユーザは所望の番組を再生する場合、ハードディスク内に記録されている番組情報を示す番組リストを表示させ、そのリストから所望の番組を選択することで容易に所望の番組の再生を行うことができる。
【０００４】
一方、ハードディスクの記録容量が大容量化されてきたとはいっても、その容量には限界があるため、ユーザは所望の番組を録画するに当たり所要の容量を確保するために、すでに録画した番組を削除する必要がある。また、番組の録画には比較的大容量（例えば数ＧＢ）を要するために、ユーザは頻繁に削除操作を行うこととなる。例えば、８０ＧＢの容量を有するハードディスクには約４０時間の番組を録画することが可能であるが、それ以上の番組を録画するためには録画済みの番組を削除しなければならない。
【０００５】
一般に、ハードディスクレコーダにおいて、ユーザが所望の番組を削除する場合は、ハードディスク内に記録されている番組情報を示す番組リストを表示させ、そのリストから所望の番組を選択し、削除設定を行うことにより、当該番組が記録されていた領域への上書きが可能となる。
【０００６】
また、上述したように録画番組を削除するために番組リストを表示させることなく、ユーザが容易に削除操作を行い、新たに録画するための容量を確保できるようにしたハードディスクレコーダも提案されている（例えば特許文献１，２）。
【０００７】
特許文献１には、テレビ放送信号を受信しているときは基本的に録画を行い、番組を録画しているときに同時にユーザが当該番組を視聴していた場合は、この録画番組を番組終了時に削除するようにしたハードディスクレコーダが開示されている。また、特許文献２には、ハードディスクに記録された番組を再生しているときに、当該番組の削除指令を行うことのできるハードディスクレコーダが開示されている。
【特許文献１】特開平１０―１８８５３３号公報
【特許文献２】特開２００２−２２２１０１号公報
【発明の開示】
【発明が解決しようとする課題】
【０００８】
ところで、上記先願技術を含む従来のハードディスクレコーダにおいては、新たに番組を録画するために既存の録画番組を削除するようにしているが、ここでいう「削除」とは、いわゆる上書き可能な状態にすることを意味し、記録されているデータ（目次情報及びコンテンツ情報）を完全に消去するわけではない。つまり、記録されたデータを完全に消去するのは少なからず時間がかかる上、ＣＰＵに多大な負荷がかかり処理能力が低下するおそれがあるし、その領域には新たに番組が上書きされるのであるから、データの完全消去はしないようにしている。
【０００９】
したがって、従来のハードディスクレコーダにおいては、番組の削除操作がなされても、番組リストから削除されるだけで、そのデータ自体（コンテンツ情報）は消去されないので、当該領域に上書きがなされるまでは削除された番組を復帰させて、再生することも可能となっている。例えば、特許文献２では、削除番組復帰動作として削除された番組を復帰できることが明示されている。
【００１０】
一方、ハードディスクレコーダをユーザが一人で使用するだけならまだしも、複数人で使用する場合や、他人の手に渡ってしまう場合等は、自分が録画した番組を他人には再生されたくないと考えることもあり得る。例えば、テレビ番組ではなく個人的に録画した番組（例えば会議風景等）のような場合は、他人に再生されると不都合を生じることがある。
【００１１】
しかしながら、従来のハードディスクレコーダは、このような要求に対応できる構成ではないため、大事なデータが外部に漏洩してしまうという問題を生じるおそれがあり、セキュリティの面で安全であるとはいえない。
【００１２】
本発明は、ハードディスクに録画された番組を完全に消去でき、録画番組のセキュリティを確保できるハードディスクレコーダを提供することを目的とする。
【課題を解決するための手段】
【００１３】
本発明は、上記課題を解決するためになされたものであり、外部から入力されるビデオ信号をデジタル化して番組のタイトル、放送日時、チャンネル等を含む目次情報と番組のコンテンツ情報とからなる番組情報をハードディスクに記録する記録手段と、記録した番組情報をハードディスクから読み出して再生する再生手段と、前記ハードディスクに記録された番組の目次情報をリスト形式で表示する録画番組リスト表示手段と、前記番組情報をユーザの削除操作に基づいて削除する番組情報削除手段を備えたハードディスクレコーダにおいて、前記番組情報削除手段は、ユーザにより仮削除操作がなされた番組の番組情報が記録されている領域を上書き可能状態とするとともに、前記録画番組リスト表示手段による当該番組の目次情報の表示を非表示とする仮削除処理を実行する番組情報仮削除手段と、ユーザにより完全削除操作がなされた番組の番組情報が記録された領域を初期化する完全削除処理を実行する番組情報完全削除手段と、を備えるようにした。すなわち、ユーザにより番組の完全削除操作がなされた場合は、当該番組に関する情報はすべて削除され、復帰して再生することもできないようにした。
【００１４】
また、前記番組情報完全削除手段は、完全削除処理を開始する時間を設定可能に構成され、削除開始時間前は、ユーザにより完全削除操作がなされた番組の番組情報が記録されている領域を上書き可能状態とするとともに、前記録画番組リスト表示手段による当該番組の目次情報の表示を非表示とし、削除開始時間となったときに、既に上書きされた領域を除くように削除すべき領域を確定した後、当該領域に記録された番組情報をすべて削除するようにした。つまり、完全削除の対象となる番組情報に対応する領域を予め完全削除する領域として確定してしまうと、ユーザにより完全削除操作がなされてから完全削除処理を開始するまでに、すでに上書きされた番組も完全削除処理の対象となってしまうため、このような不具合が生じるのを解消した。
【００１５】
また、前記番組情報完全削除手段は、前記記録手段及び再生手段による処理がなされていないときに、完全削除処理を実行するようにした。本発明に係る完全削除処理には比較的大きな処理能力を必要とするので、記録又は再生処理が実行されているときにこの完全削除処理を平行して実行すると、ＣＰＵに多大な負担がかかってしまい、映像のコマ落ち等が生じ、録画・再生処理に支障を来しかねない。また、録画・再処理時に完全削除処理を実行すると、ハードディスクのヘッドが激しく移動することとなり、ハードディスクが壊れる原因となる。したがって、自動的に録画・再生処理中を避けて完全削除処理を実行するようにした。
【００１６】
さらに、前記番組情報仮削除手段により削除された番組の目次情報を格納する削除番組記憶手段と、前記削除番組記憶手段に格納された番組の目次情報を表示する削除番組リスト表示手段と、を備え、仮削除処理を実行した後に完全削除処理を実行可能とした。
【発明の効果】
【００１７】
本発明によれば、ハードディスクレコーダにおいて、ユーザにより完全削除操作がなされた番組の番組情報が記録された領域を初期化する完全削除処理を実行する番組情報完全削除手段を備え、ユーザは所望の番組情報を完全に削除することができるようにしたので、削除した番組情報を他人によって復帰されて再生されることはなくなり、漏洩しては困る番組情報のセキュリティを十分に保証することができる。
【発明を実施するための最良の形態】
【００１８】
以下、本発明の好適な実施の形態を図面に基づいて説明する。
【００１９】
図１は、本発明に係るハードディスクレコーダの実施形態を示すブロック図である。図１において、破線で囲んだブロックがハードディスクレコーダ１００である。
【００２０】
本実施形態のハードディスクレコーダ１００は、ハードディスクレコーダ１００全体の制御を行う主制御部１１と、アンテナ３１より入力された複数の放送局のテレビ放送信号から所望のチャンネルのテレビ放送信号を取り出しビデオ信号（映像信号及び音声信号）として出力するチューナ１２と、チューナ１２で取り出されたビデオ信号或いは外部入力端子を介して他のＡＶ装置から入力されたビデオ信号をデジタル信号に変換するＡ／Ｄ変換器１３と、Ａ／Ｄ変換器１３から入力されたデジタル信号を符号化してデジタルデータを生成する圧縮処理部１４と、圧縮処理部１４により符号化されたデジタルデータを録画された番組データとして記録するハードディスク（ＨＤＤ）１７と、ＨＤＤ１７に記録されたデジタルデータを読み出して複合化して元のデジタル信号を生成する伸張処理部１５と、復号化されたデジタル信号をアナログビデオ信号に変換しＴＶモニタ等の外部機器に出力するＤ／Ａ変換器１８と、前面パネル（図示せず）に設けられチャンネル設定などを行う各種の操作スイッチ１９と、チャンネル設定などを行うリモコン装置２１からの光信号（操作信号）を受光して電気信号に変換するリモコン受光部２０と、液晶ディスプレイやＬＥＤランプ等で構成されリモコン装置２１又は操作スイッチ１９からの操作内容等を表示する表示部２２と、で構成される。なお、本実施形態のハードディスクレコーダ１００では、圧縮処理部１４と伸張処理部１５の動作のみを制御する副制御部１６を設け、主制御部１１の負担を軽減している。
【００２１】
また、制御部１１は、各部の制御および所定の演算を行いハードディスクレコーダ１００の動作を制御するＣＰＵ１１１と、ＣＰＵ１１１の作業用メモリとして用いられるとともにＨＤＤ１７に記録した番組に関する情報等を記憶するＲＡＭ１１２と、ＣＰＵ１１１で実行される制御用プログラム等が記録されたＲＯＭ１１３と、で構成される。
【００２２】
上記のようなハードディスクレコーダ１００において、番組を録画する場合は、ユーザによる録画操作に基づいて、操作スイッチ１９或いはリモコン受光部２０から録画指令が主制御部１１に送信され、主制御部１１が録画処理のための制御手順を実行する。これにより、外部から入力されたテレビ放送信号はデジタル化されＨＤＤ１７に記録される。このとき、録画される番組情報には、番組のタイトル、放送日時、チャンネル等の情報からなる目次情報と、番組のコンテンツ情報と、が含まれる。
【００２３】
一方、ＨＤＤ１７に録画した番組を再生する場合は、録画番組リスト表示手段としての主制御部１１が、ＨＤＤ１７に記録されている番組の目次情報をＴＶモニタの画面に表示させて、ユーザによる番組選択・再生操作に基づいて、操作スイッチ１９或いはリモコン受光部２０から再生指令が主制御部１１に送信され、主制御部１１が再生処理のための制御手順を実行する。これにより、ＨＤＤ１７に記録された番組のコンテンツ情報が主制御部１１により読み出され、ＴＶモニタに再生映像が表示される。以上の基本動作は、従来のハードディスクレコーダと変わりはない。
【００２４】
また、ＨＤＤ１７に記録された番組情報を削除する場合、録画番組リスト表示手段としての主制御部１１が、ＨＤＤ１７に記録されている番組の目次情報をＴＶモニタの画面に表示させて、ユーザによる番組選択・削除操作に基づいて操作スイッチ１９或いはリモコン受光部２０から再生指令が主制御部１１に送信され、番組情報削除手段としての主制御部１１が削除処理のための制御手順を実行する。
【００２５】
ここで、本実施形態のハードディスクレコーダでは、ユーザにより番組の仮削除操作がなされた場合に当該番組の番組情報が記録されている領域を上書き可能状態とするとともに、前記録画番組リスト表示手段による当該番組の目次情報の表示を非表示とする仮削除処理を実行できるだけでなく、ユーザにより番組の完全削除操作がなされた場合に当該番組の番組情報が記録された領域を初期化する完全削除処理をも実行可能にしている点が従来のハードディスクレコーダと異なる。つまり、番組情報削除手段は、番組情報仮削除手段と、番組情報完全削除手段とを備えるようにしている。
【００２６】
図２はＨＤＤ１７に記録された番組情報（目次情報及びコンテンツ情報）の格納状態及び仮削除処理後の番組情報の格納状態を示す概念図で、図３はＨＤＤ１７に記録された番組情報の格納状態及び完全削除処理後の番組情報の格納状態を示す概念図である。
【００２７】
図２（ａ）に示すように、ＨＤＤ１７に目次情報（Ａ．ｔｘｔ・・）とコンテンツ情報（０ｘ００〜０ｘ０Ｆ・・）とからなる番組情報が記録されている場合、仮削除処理が実行されると、図２（ｂ）に示すように目次情報は消去されるがコンテンツ情報は消去されずそのまま残る。ただし、コンテンツ情報の記録された領域は上書き可能状態とされるので、番組のコンテンツ情報が残っていても新たに番組が録画されるとその領域に記録されることとなる。つまり、従来のハードディスクレコーダにおける削除処理はこの仮削除処理に相当する。一方、完全削除処理を実行すると、図３（ｂ）のように目次情報もコンテンツ情報もすべて消去され初期化された状態となる。このように、完全削除処理を実行すると、コンテンツ情報もすべて消去されるため削除した番組情報を復帰させて再生することは不可能となる。
【００２８】
以下に、本実施形態のハードディスクレコーダにおける、番組情報の削除処理について具体的に説明する。
（実施例１）
図４は、番組情報削除手段としての主制御部１１で実行される削除処理の一例を示すフローチャートであり、ユーザが自分で完全削除処理を実行する時間を指定できる場合である。図５は、図４のフローチャートに従って削除処理を行うときのＴＶモニタへの表示画面の一例である。
【００２９】
まず、ＨＤＤ１７に記録された番組情報を削除する場合、録画番組リスト表示手段により、ＨＤＤ１７に記録されている番組の目次情報をＴＶモニタの画面に表示させる（図５（ａ））。図５（ａ）では、目次情報のうち番組のタイトル、放送日、チャンネルをリスト形式で表示している。図５（ａ）の表示画面Ｄ１において、ユーザはカーソルＣを削除する番組に合わせて、削除ボタンＤＢを操作することで削除処理を開始させることができる。
【００３０】
削除処理が開始されると、まず、図４のステップＳ１０１で削除確認メッセージを表示する。このとき、ＴＶモニタには図５（ｂ）に示す画面Ｄ２が表示される。図５（ｂ）の画面Ｄ２において"はい"ボタンＹＢが操作されると完全削除処理が実行され、"いいえ"ボタンＮＢが操作されると仮削除処理が実行されることとなる。
【００３１】
図４のステップＳ１０２で、ユーザによる削除処理が完全削除処理であると判定すると、ステップＳ１０３に移行して仮削除処理を実行して、削除対象の番組の番組情報が記録されている領域を上書き可能状態とするとともに、目次情報を削除して録画番組リスト表示手段による当該番組の目次情報が表示されないようにする。
【００３２】
次に、ステップＳ１０４で、完全削除処理を実行する時間の設定を行わせる。このとき、ＴＶモニタには図５（ｃ）の画面Ｄ３が表示される。ユーザは、図５（ｃ）の画面において、ラジオボタンＲＢにより何時間後に完全削除処理を実行するか又は何時に完全削除処理を実行するかを選択するとともに、完全削除処理を実行する時間を入力し、設定ボタンＳＢを操作することで、完全処理削除処理を実行する削除時間を設定する。ユーザは、例えば、ハードディスクレコーダを使用しないと予測される時間を指定することで、録画・再生処理に支障を来すことなく完全削除処理を実行させることができる。また、０時間経過後と指定することで、即座に完全削除処理を実行させることもできる。
【００３３】
次いで、削除指定時間となるまで図４のステップＳ１０５の処理が繰り返され、削除指定時間になるとステップＳ１０６で削除領域を確定する。このとき、削除指定時間となるまでに、既に上書きされた領域を除くように削除領域は確定される。そして、ステップＳ１０７で、確定された削除領域の全データを消去し初期化して、削除処理を終了する。
【００３４】
一方、図４のステップＳ１０２で、ユーザによる削除処理が仮削除処理であると判定すると、ステップＳ１０８で削除する番組情報のセキュリティは不要か否かの判定を行う。このとき、ＴＶモニタには図５（ｄ）の画面Ｄ４が表示される。図５（ｄ）の画面Ｄ４において"はい"ボタンＹＢが操作されると番組情報のセキュリティは不要ということになるので図４のステップＳ１０９で仮削除処理が実行され、"いいえ"ボタンＮＢが操作さされると番組情報のセキュリティが必要ということになるので、再度ユーザに確認するため、図４のステップＳ１０１に戻って削除確認メッセージを表示することとなる。
【００３５】
ここで、ステップＳ１０９において、仮削除指定された番組の目次情報を削除した上で、当該番組のコンテンツ情報が完全に上書きされるまでは削除番組として他の領域に当該削除番組の目次情報をバックアップしておいてもよい。そして、このバックアップされた削除番組のリストをＴＶモニタに表示し（削除番組リスト表示手段）、録画番組の削除処理と同様の要領で、仮削除された番組情報でも改めて完全削除できるようにしてもよい。
【００３６】
上述したように、本実施形態にかかるハードディスクレコーダは、ユーザにより完全削除操作がなされた番組の番組情報が記録された領域を初期化する完全削除処理を実行する番組情報完全削除手段を備え、ユーザは所望の番組情報を完全に削除することができるので、削除した番組情報を他人によって復帰されて再生されることはできなくなり、漏洩しては困る番組情報のセキュリティを十分に保証することができる。また、完全削除処理を実行する場合に、とりあえず仮削除処理を行い、削除開始時間となったときに、既に上書きされた領域を除くように削除すべき領域を確定した後、当該領域に記録された番組情報をすべて削除するようにしたので、完全削除処理の対象となる番組情報に対応する領域を予め完全削除する領域として確定してしまうことで、ユーザにより完全削除操作がなされてから完全削除処理を開始するまでに当該領域に上書きされた番組も完全削除処理の対象となり削除されてしまうという不具合が生じることもない。
（実施例２）
図６は、番組情報削除手段としての主制御部１１で実行される削除処理の他の一例を示すフローチャートであり、ハードディスクレコーダが自動的に完全削除処理を実行する場合である。
【００３７】
本実施例では、実施例１のようにユーザによって指定された時間に完全削除処理を実行するのではなく、録画・再生処理というハードディスクレコーダの本来の処理に支障を来すことのないときに自動的に完全削除処理を実行するようにしている。すなわち、ステップＳ２０４で当該ハードディスクレコーダにおいて録画・再生処理中かを判定し、録画・再生処理中でない場合に完全削除処理を実行する。なお、ステップＳ２０１〜Ｓ２０３、Ｓ２０５〜Ｓ２０８は、それぞれ実施例１に係る図４のステップＳ１０１〜Ｓ１０３、Ｓ２０６〜Ｓ２０９と同様であるため説明は省略する。
【００３８】
このように、本実施例では、録画・再生処理がなされていないときに完全削除処理を自動的に実行するようにしたので、完全削除処理が録画・再生処理に支障を来すことはなくなる。また、自動的に録画・再生処理がなされていないと判断したときに完全削除処理を実行するので、ユーザの設定も簡単である。
【００３９】
なお、完全削除処理は瞬時に終了するものではなく、例えば数分から数時間を要する処理となる場合がほとんどである。そのため、図６のフローチャートには示していないが、完全削除処理が実行されているときに、録画・再生処理が開始されたときは、一旦完全削除処理を中断して、録画・再生処理が終了したときに、再開させるように制御するのが望ましい。
【００４０】
以上、本発明者によってなされた発明を実施形態に基づいて具体的に説明したが、本発明は上記実施形態に限定されるものではなく、その要旨を逸脱しない範囲で変更可能である。例えば、実施例１及び実施例２に示す完全削除処理の両方を実現可能に構成し、ユーザにより自分で削除時間を設定するか、自動的に完全削除処理を実行させるかを選択できるようにしてもよい。
【図面の簡単な説明】
【００４１】
【図１】本発明に係るハードディスクレコーダの実施形態を示すブロック図である。
【図２】ＨＤＤ１７に記録された番組情報の格納状態及び仮削除処理後の番組情報の格納状態を示す概念図である。
【図３】ＨＤＤ１７に記録された番組情報の格納状態及び完全削除処理後の番組情報の格納状態を示す概念図である。
【図４】番組情報削除手段としての主制御部１１で実行される削除処理の一例を示すフローチャートである。
【図５】図４のフローチャートに従って削除処理を行うときのＴＶモニタへの表示画面の一例である。
【図６】番組情報削除手段としての主制御部１１で実行される削除処理の他の一例を示すフローチャートである。
【符号の説明】
【００４２】
１１    主制御部
１１１  ＣＰＵ
１１２  ＲＡＭ
１１３  ＲＯＭ
１２    チューナ
１３    Ａ／Ｄ変換器
１４    圧縮処理部
１５    伸張処理部
１６    副制御部
１７    ハードディスク（ＨＤＤ）
１８    Ｄ／Ａ変換器
１９    操作スイッチ
２０    リモコン受光部
２１    リモコン
２２    表示部
３１    アンテナ
１００  ハードディスクレコーダ
【図１】
2005347991.tif 000003
【図２】
2005347991.tif 000004
【図３】
2005347991.tif 000005
【図４】
2005347991.tif 000006
【図５】
2005347991.tif 000007
【図６】
2005347991.tif 000008